(57)【要約】  本発明は、容器本体に収納された板状のバイオセンサを容易に取り出すことができるようにすることを目的とする。具体的に本発明は、上面が開口した筒状の収納容器本体と、前記収納容器本体の上面開口部を開閉自在に覆う蓋体と、前記筒状容器本体内に収納された複数枚の板状のバイオセンサと、を含むバイオセンサ収納体を提供する。ここで、前記バイオセンサはそれぞれ、一端部に配置された測定部と、他端部に配置された接続端子部と、前記一端部と他端部間に配置され、前記測定部と前記接続端子部を電気接続する接続部とを有する。そして、前記バイオセンサは、その長手方向の端部に配置された突出部を有し、かつ前記バイオセンサは、前記突出部を前記収納容器本体の底部に対向して収容されている。
2012042904.tif 000002
【特許請求の範囲】
【請求項１】
上面が開口した筒状の収納容器本体と、前記収納容器本体の上面開口部を開閉自在に覆う蓋体と、前記筒状の収納容器本体内に収納された複数枚の板状のバイオセンサと、を含むバイオセンサ収納体であって、
前記バイオセンサはそれぞれ、一端部に配置された測定部と、他端部に配置された接続端子部と、前記一端部と他端部間に配置され、前記測定部と前記接続端子部を電気接続する接続部とを有し、
前記バイオセンサは、その長手方向の端部に配置された突出部を有し、かつ前記バイオセンサは、前記突出部を前記収納容器本体の底部に対向して収容されている、バイオセンサ収納体。
【請求項２】
前記バイオセンサは、前記突出部の両隣の少なくとも一方に配置された切欠部をさらに有する、請求項１に記載のバイオセンサ収納体。
【請求項３】
前記収納容器本体の下面は有底である、請求項１に記載のバイオセンサ収納体。
【請求項４】
前記測定部は、作用極と対極とからなる一対の電極を有し、かつ
前記接続端子部は、前記一対の電極と接続部を介して電気接続している一対の端子を有する、請求項１に記載のバイオセンサ収納体。
【請求項５】
請求項１に記載のバイオセンサを、前記接続端子部側から挿入するための挿入口を有する測定装置であって、
前記バイオセンサが挿入されたときに、前記接続端子部の端子に接続するコネクターと、前記測定部からの出力により特定成分を測定する測定手段と、前記測定手段での測定結果を表示する表示手段と、を備えた測定装置。
【請求項６】
前記バイオセンサが挿入されたときに、前記接続端子部に設けられた突出部によりスイッチングされるスイッチング手段をさらに備えた、請求項５に記載の測定装置。
【発明の詳細な説明】
【技術分野】
【０００１】
本発明は、血糖値センサのようなバイオセンサを収納容器に収納したバイオセンサ収納体と、当該バイオセンサを用いる測定装置に関する。
【背景技術】
【０００２】
従来のバイオセンサ（血糖値センサ５）は、図１３に示すように、板状の形状を有し、一端部に測定部１、他端部に接続端子部２、前記測定部１と前記接続端子部２を接続する接続部３（図示していないが電気配線を有する）とを具備する（たとえば特許文献１を参照）。通常、測定部１は作用極と対極とを含む電極を有し；接続端子部２は、測定装置に接続する一対の端子を有し、電極と端子とは接続部３を介して電気接続されている。接続端子部２の端子は、測定装置に接続するための端子である。【０００３】
また、従来のバイオセンサ（血糖値センサ５）の他の例は、図１５に示されるように、板状のセンサを備え、その一端に作用極５０と、対極５１と、情報付与部５２とを具備する（例えば特許文献２を参照）。
【先行技術文献】
【特許文献】
【０００４】
【特許文献１】特開２００６−１８８２５５号公報
【特許文献２】国際公開第２００３／０７６９１８号
【発明の概要】
【発明が解決しようとする課題】
【０００５】
従来のバイオセンサ５は、図１４に示すように、複数枚まとめて、収納容器の内部に収納されて保管される。バイオセンサ５を使用するときに、使用者は収納容器の内部から１枚のバイオセンサ５を取り出す。取り出したバイオセンサ５を、接続端子部２側から測定装置（図示せず）の挿入口に挿入し；次に、測定部１に血液を点着させる。これにより、測定装置の測定手段で、血糖値を測定し、測定値は表示手段に表示させる。【０００６】
ところが、収納容器に収納された複数枚のバイオセンサ５のうちの一枚を取り出すときに、非常に取り出しにくいという問題があった。従来のバイオセンサ５は、図１３に示すように板状であるので、複数枚のバイオセンサ５を収納容器内に収納すると、図１４に示すように互いに重なった状態となる。このように互いに重なった板状のバイオセンサ５を、一枚ずつ収納容器から取り出すのは、使用者にとって煩雑である。ときとして、２枚以上のバイオセンサ５を取り出してしまい、そのうちの一枚または複数枚を落下させてしまうこともあった。【０００７】
そのため使用者は、時間をかけて慎重に収納容器内から一枚の板状のバイオセンサを取り出さねばならず、使い勝手が悪かった。そこで本発明は、容器本体に収納された板状のバイオセンサを容易に取り出すことができるようにすることを目的とする。
【課題を解決するための手段】
【０００８】
上記目的を達成するために本発明は、バイオセンサの形状を好適化し、かつ好適化された形状のバイオセンサを適切な状態で収納容器に収納したバイオセンサ収納体を提供する。これにより、所期の目的を達成する。【０００９】
すなわち、本発明の第一は、以下に示すバイオセンサ収納体に関する。
［１］上面が開口した筒状の収納容器本体と、前記収納容器本体の上面開口部を開閉自在に覆う蓋体と、前記筒状の収納容器本体内に収納された複数枚の板状のバイオセンサと、を含むバイオセンサ収納体であって、
前記バイオセンサはそれぞれ、一端部に配置された測定部と、他端部に配置された接続端子部と、前記一端部と他端部間に配置され、前記測定部と前記接続端子部を電気接続する接続部とを有し、
前記バイオセンサは、その長手方向の端部に配置された突出部を有し、かつ前記バイオセンサは、前記突出部を前記収納容器本体の底部に対向して収容されている、バイオセンサ収納体。【００１０】
［２］前記バイオセンサは、前記突出部の両隣の少なくとも一方に配置された切欠部をさらに有する、［１］に記載のバイオセンサ収納体。
［３］前記収納容器本体の下面は有底である、［１］に記載のバイオセンサ収納体。
［４］前記測定部は、作用極と対極とからなる一対の電極を有し、かつ前記接続端子部は、前記一対の電極と接続部を介して電気接続している一対の端子を有する、［１］に記載のバイオセンサ収納体。【００１１】
本発明の第二は、以下に示す測定装置に関する。
［５］前記［１］に記載のバイオセンサを、前記接続端子部側から挿入するための挿入口を有する測定装置であって、
前記バイオセンサが挿入されたときに、前記接続端子部の端子に接続するコネクターと、前記測定部からの出力により特定成分を測定する測定手段と、前記測定手段での測定結果を表示する表示手段と、を備えた測定装置。
［６］前記バイオセンサが挿入されたときに、前記接続端子部に設けられた突出部によりスイッチングされるスイッチング手段をさらに備えた、［５］に記載の測定装置。
【発明の効果】
【００１２】
本発明のバイオセンサ収納体は、収納容器に収容されるバイオセンサの形状と、その収容状態を好適化しているので、収容容器からバイオセンサを一枚ずつ容易に取り出すことができる。【００１３】
つまり、本発明におけるバイオセンサは板状であり、１）その長手方向の端部に配置された突出部を有し、かつ２）突出部を収納容器本体の底部に対向した状態で、バイオセンサを収納容器に収容している。そのため、収納容器内において複数のバイオセンサがランダムに収容されるので、収容容器からバイオセンサを一枚ずつ容易に取り出すことができる。【００１４】
また、バイオセンサには突出部があり、突出部が測定装置のスイッチング手段をスイッチングすることができる。そのため、測定装置は、当該突出部によってバイオセンサの種別を判断することができる。【００１５】
このようにして、バイオセンサの使用者による検査を簡便にすることができ、しかもバイオセンサの種別を測定装置が判断することができるので、誤った測定結果が使用者に提供されることも防止される。
【図面の簡単な説明】
【００１６】
【図１】本発明の一実施形態にかかる血糖値センサの正面図（図１Ａ）と、分解斜視図（図１Ｂ）
【図２】図１の血糖値センサの測定部の拡大正面図
【図３】図１の血糖値センサの接続端子部の拡大正面図
【図４】血糖値センサを収納するための収納容器の斜視図
【図５】図１の血糖値センサの複数枚を収納容器に収容した状態を示す断面図
【図６】図１の血糖値センサが挿入された測定装置の斜視図（図６Ａ）と、測定装置の内部のコネクターケースを示す図（図６Ｂ）
【図７】図６の測定装置のスイッチング手段付近の拡大断面図
【図８】図６の測定装置のスイッチング手段付近の拡大断面図
【図９】２つのスイッチング手段を有するコネクターケースを示す図（図９Ａ）と、４種類の血糖値センサを示す図（図９Ｂ）
【図１０】図９Ａに示されるコネクターケースに、図９Ｂに示される血糖値センサを挿入した状態を示す図
【図１１】バイオセンサの接続端子部の突出部および切欠部の形状のパターンを示す図
【図１２】バイオセンサの接続端子部の導電膜のパターニングの例を示す図
【図１３】第１の従来のバイオセンサの正面図
【図１４】従来のバイオセンサの複数枚を収納容器に収容した状態を示す断面図
【図１５】第２の従来のバイオセンサの正面図
【発明を実施するための形態】
【００１７】
本発明のバイオセンサ収納体は、収納容器本体と、蓋体と、複数枚の板状のバイオセンサと、を具備する。
【００１８】
収納容器本体について
収納容器本体は、通常は、上面に開口部を有する筒状の容器である。また通常は、収納容器本体の下面は有底である。収納容器本体は、被収納物であるバイオセンサを外部の湿気から保護することが好ましい。収納容器本体の材質は特に限定されないが、低透湿性であることが好ましく、樹脂などでありうる。収納容器本体の内部に吸湿剤が配置されていてもよい。吸湿剤は、収納容器の内部に侵入した水分を吸収して、収納物であるバイオセンサが水分によって劣化することを防止する。
【００１９】
収納容器本体の形状は、収納物であるバイオセンサを収納できる限り特に限定されないが、筒状であることが好ましく、円筒状や矩形筒状などでありうる。筒状の収納容器本体の内部高さは、バイオセンサの長手方向の幅以上に設定されていればよいが、通常は４０〜６０ｍｍである。
【００２０】
蓋体について
蓋体は、収容容器本体の上面開口部を覆う（封止する）部材であって、開閉可能な部材であることが好ましい。蓋体によって封止された収容容器は密閉されることが好ましく、外部からの湿気や酸素の侵入が抑制される。蓋体は、収納容器本体と分離可能な部材であってもよいが、図４に示されるように収納容器本体と連結して一体化されていてもよい。また、蓋体に吸湿剤が配置されていてもよい。
【００２１】
バイオセンサについて
バイオセンサは、試料中の特定成分、例えば血液中のグルコースの濃度を測定するための分析用具である。バイオセンサの形状は、板状であることが好ましく、長手方向と短手方向とを有する板状であることがより好ましい。「板状」とは、その厚みが０．０５〜１．０ｍｍであることをいう。バイオセンサの大きさは特に制限されないが、その長手方向の幅が１０ｍｍ〜５０ｍｍであることが好ましく、アスペクト比（長手方向の幅／短手方向の幅）が２〜１６であることが好ましい。
【００２２】
バイオセンサは、試料中の成分量を測定するための測定部と、分析装置との接続端子を有する接続端子部と、測定部と接続端子部とを電気接続する接続部と、を有する（図１Ａ参照）。また、バイオセンサは、例えば、カバーと、スペーサと、基板とを含む（図１Ｂ参照）。
【００２３】
測定部は、試料サンプルを測定部内に導入するための導入口と、作用極および対極からなる一対の電極と、試薬層と、導入された試料サンプルを試薬層にまで導くための導入路と、を有する（図２参照）。また、もちろん、作用極および対極以外の電極である検知極などを有していてもよい。
【００２４】
測定部、とりわけ導入口は、バイオセンサの端部にあることが好ましい。試料を導入しやすくするためである。バイオセンサの端部とは、長手方向の端部であってもよく、側端部であってもよい。試料サンプルが液体である場合には、導入路は毛細管現象が生じるように微細な径を有していることが好ましい。
【００２５】
導入口および導入路は、カバーとスペーサと基板とから構成される隙間である（図１Ｂ参照）。
【００２６】
試薬層は、通常固形であり、液体の試料サンプルに溶解する。試薬層の成分組成は、測定対象成分に応じて異なる。一般的には、電子伝達体（メディエータ）と、酸化還元酵素と、を含む。測定対象成分がグルコースである場合には、電子伝達体の例には鉄錯体（フェロセン）やルテニウム錯体などがあり；酸化還元酵素の例にはグルコースデヒドロゲナーゼやグルコースオキシダーゼなどがある。
【００２７】
測定部は、作用極と対極とからなる一対の電極を有する。試料サンプルは、試薬層を溶解して溶液となり；その溶液は、一対の電極に接触し；一対の電極は、溶液に電圧を印加する。そのときに溶液に流れる電流を測定するなどして、試料サンプル中に含まれる特定成分の量を測定する。したがって、一対の電極の近傍に試薬層が配置されることが好ましい。
【００２８】
測定部は、作用極と対極とからなる一対の電極以外の他の電極を有していてもよい。例えば検知電極や、試料サンプルが血液である場合にはヘマトクリット電極などを有していてもよい。検知電極とは、試料サンプルが測定部内の所定の位置にまで導かれたことを確認するための電極である。ヘマトクリット電極とは、血液中のヘマトクリット値（血液中に占める血球の容積の割合を示す数値）を測定するための電極であり、ヘマトクリット値は特定成分の測定結果を補正するために用いられる。
【００２９】
接続端子部は、バイオセンサを測定装置本体に電気接続するための接続端子を有する。接続端子は、測定部の作用極と電気接続している端子と、測定部の対極と電気接続している端子とからなる一対の端子を少なくとも含む。さらに、測定部に他の電極がある場合には、他の電極と電気接続している端子をさらに有する。
【００３０】
接続端子部は、バイオセンサの、測定部以外の他の端部に配置されていることが好ましい。端部とは、長手方向の端部であっても側部の端部であってもよいが、長手方向の端部に配置されることが多い。
【００３１】
接続端子部の各端子は、バイオセンサを測定装置に装着したときに、測定装置と電気接続することができる。例えば、測定装置が有するコネクターが、接続端子部の各端子に接続する。
【００３２】
接続部は、測定部と接続端子部とを電気接続する。より具体的に、接続部とは、測定部が有する各電極（一対の電極および他の電極）と接続端子部の各端子とを、電気接続する配線を意味する。
【００３３】
測定部の各電極、接続端子部の各端子、および接続部を構成する配線は、基板にパターニングされた導電膜（例えば金属膜）である。これらは、基板上に導電ペーストを塗布することで形成してもよく、基板上に成膜した導電膜をエッチング（レーザーエッチングなど）して形成してもよい。
【００３４】
接続端子部には、各端子以外のパターニングされた導電膜があってもよい。所定のパターニングをしておくことで、後述の通り、コネクタによってバイオセンサの種別を判別することができる（図１２参照）。
【００３５】
本発明のバイオセンサは、その長手方向の端部に突出部を有することを特徴とする（図３参照）。また、バイオセンサは、突出部の両隣の少なくとも一方に切欠部を有していることが好ましい。突出部と切欠部は、長手方向の端部にあればよいが、通常は接続端子部と一体とされている。また、突出部は、測定装置にバイオセンサを挿入するときの挿入方向に沿って突出していることが好ましい。
【００３６】
突出部および切欠部のパターンの例が、図１１に示される。図１１における図１１−１〜図１１−３は、１つの突出部がある例であり；図１１−４は、２つの突出部がある例である。
【００３７】
本発明のバイオセンサ収納体において、複数のバイオセンサが収納容器に収容される。収容されるバイオセンサの数は特に限定されないが、通常は５枚〜５０枚である。バイオセンサは、長手方向の端部にある突出部を収納容器の底に向けて収容されている。そのため、収容されたバイオセンサは、基本的には、互いに重なりあって長手方向に沿って起立するが；垂直に立設するもの、右側または左側に傾いて立設するものなどが混在した状態となる（図５参照）。
【００３８】
一般的に、バイオセンサのような板状部材の複数を収納容器に収容すると、板状部材同士が完全に重なりあって存在しやすい（図１４参照）。完全に重なりあった板状のバイオセンサのうちの一枚のバイオセンサを、収納容器から取り出すことは煩雑であることが多い。一方で、本発明のバイオセンサ収納体のバイオセンサは、重なりあって存在するものの、完全には重なりあわず、ランダムな状態となる。そのため使用者は、容易に一枚ずつバイオセンサを取り出すことができる。
【００３９】
本発明のバイオセンサは、測定装置に装着されて、試料サンプル中の特定成分を測定するために用いられる。測定装置に装着されるとは、バイオセンサの接続端子部の各端子が、測定装置に電気接続されることを含む。バイオセンサが測定装置に装着された状態が、図６Ａに示される。
【００４０】
図６Ａに示されるように、測定装置には、バイオセンサを挿入するための挿入口と、バイオセンサの測定部からの出力によって特定成分を測定する測定手段と、測定結果を表示する表示手段とを有する。
【００４１】
図６Ａに示されるように、バイオセンサは接続端子部を挿入方向の先にして挿入され、測定部は測定装置から露出していることが好ましい。
【００４２】
図６Ｂは、バイオセンサ５を挿入された測定装置９の挿入口近傍の装置内部を示した図である。図６Ｂに示されるように、測定装置９は、挿入口を介して挿入されたバイオセンサ５を受容するためのコネクターケース２０を有する。測定装置９の内部には、コネクターケース２０に受容されたバイオセンサ５の接続端子部２の各端子に接続するためのコネクター１８（図６Ｂには８つのコネクター１８が示されている）が配置されている。さらに、コネクターケース２０の最奥部にはスイッチング手段１９が設けられている。バイオセンサ５が挿入口を通して測定装置９に挿入されると、突出部１０がスイッチング手段１９を押し込むことによって、オンすることができる。
【００４３】
図７には、突出部を有するバイオセンサが、挿入部の内部においてスイッチを押し込んでオンにした状態が示される。一方で、図８は、突出部を有さないバイオセンサが、挿入部の内部においてスイッチを押し込むことなく、オフのままの状態が示される。
【００４４】
このように、測定装置に挿入されたバイオセンサの突出部の有無によって、スイッチがオンされたりオフのままになったりするので、スイッチのオン／オフに基づいて挿入されたバイオセンサの種別が特定される。よって、誤った測定結果が表示手段に表示されることが防止される。
【００４５】
以下、本発明のバイオセンサ収納体および測定装置の実施形態の例を、添付図面を用いて説明する。バイオセンサとして、血液中の血糖（グルコース）値を測定するための血糖値センサを例にする。
【００４６】
［実施の形態１］
図１Ａおよび図１Ｂには、血糖値センサ５が示される。図１Ａは血糖値センサ５の正面図である。血糖値センサ５は、測定部１と接続端子部２と接続部３とを有する。測定部１は、血糖値センサ５の長手方向の一方の端部に位置し；接続端子部２は、血糖値センサ５の長手方向の他方の端部に位置する。図１Ｂは、血糖値センサ５の分解斜視図である。血糖値センサ５は、カバー２１とスペーサ２５と基板３０とからなる。
【００４７】
図２には、測定部１の拡大図が示される。測定部１は、血液導入口１Ａと、血液導入路１Ｂと、試薬層１Ｃと、作用極と対極とからなる一対の電極（不図示）と、を有する。作用極および対極は、基板３０に描かれた電極パターンである。
【００４８】
図３には、接続端子部２の拡大図が示される。接続端子部２には、一対の電極にそれぞれ接続している接続端子７Ａと７Ｂと、検知極と接続している接続端子７Ｃとを有する。接続端子７Ａ，７Ｂ，７Ｃには、それぞれ測定装置のコネクター１８（図７参照）が接続する。
【００４９】
接続部３は、測定部１と接続端子部２とを電気接続する部材であり、具体的には基板３０にパターニングされた配線を含む。
【００５０】
測定部１の導入口１Ａを通って、血液が導入路１Ｂに導入され、試薬層１Ｃを溶解する。そして、一対の電極（作用極と対極）間に電位差を与える。試薬層１Ｃを溶解した血液に流れる電流を測定することで、血液中のグルコース濃度などが測定される。
【００５１】
本実施形態の血糖値センサ５は、その長手方向の端部の形状、つまり、接続端子部２の形状に特徴がありうる。図３に示すように、血糖値センサ５の接続端子部２には、突出部１０と切欠部１１とが設けられている。突出部１０は、接続端子部２における血糖値センサ５の長手方向の端部であって、短手方向の中央部に配置されている。また、突出部１０は、バイオセンサを測定装置に挿入する（図６参照）ときの挿入方向に沿って突出していることが好ましい。一方、切欠部１１は、突出部１０の両側に設けられている。
【００５２】
血糖値センサ５は、図４に示される収納容器１２の内部に収納保管される。収納容器１２は、有底の筒状の収納容器本体１３と、収納容器本体１３の開口部を開閉自在に覆う蓋１４とにより構成されている。収納容器本体１３は、筒状であることが好ましいが、円筒状であってもよいし、矩形筒状であってもよいし、他の形状であってもよい。
【００５３】
蓋１４は、収納容器本体１３の開口部を密閉する部材である。蓋１４は、収納容器本体１３に一体化されていてもよいし、分離可能な部材とされていてもよい。
【００５４】
図５は、収納容器１２内に複数枚の血糖値センサ５が収納された状態を示す。図５に示されるように、血糖値センサ５は長手方向に沿って起立して、収納容器１２内に収納されている。また血糖値センサ５は、突出部１０を有する接続端子部２を、収納容器１２の底面に向けて収納されている。そのため、収納容器１２内に収納された複数の血糖値センサ５は、完全に重なりあうことなく、ランダムに収納されている。「ランダムに収納」されるとは、複数枚の血糖値センサ５が、垂直に立設するもの、左側あるいは右側に傾斜した状態で立設するなるものなどが混在した状態となることである。
【００５５】
複数枚の血糖値センサ５が、ランダムに収納されているので、収納容器本体１３内から一枚の血糖値センサ５を容易に取り出すことができる。これにより、使用者の使い勝手が向上する。
【００５６】
このように、血糖値センサ５が収納容器１２においてランダムに配置されるためには、血糖値センサ５の長手方向の端部に、図１１に示されるような突出部を設けることが好ましい。図１１−１のパターンは、突出部１０の両側に切欠部１１があるので、収納容器においてランダムに収納されやすく、突出部の形成も容易である。図１１−２のパターンは、突出部の形成が容易である。図１１−１および図１１−２のパターンは、突出部を除く部分の形状がシンプルである。そのため、突出部を除く部分にも、容易にレーザーでのパターン描画が行うことができる。また、突出部を除く部分にもコネクターを配置しやすい。図１１−３のパターンは、突出部が折れることによって破損する可能性が低く、突出部の形成も容易である。また、図１１−３のパターンに対応する血液検査装置のコネクターケース（後述）の作製も容易である。
【００５７】
また、図１１−４のパターンは、２つの突出部１０を有する。複数の突出部を有する場合には、全ての突出部を一方の端部に偏らせて配置することが好ましい。また、複数の突出部を設けることで、後述の通り、血液センサの種別判別がより多彩になる。
【００５８】
収納容器本体１３から取り出された一枚の血糖値センサ５は、図６Ａに示されるように、測定装置９を構成する測定装置本体１５に挿入される。図６には、血糖値センサ５が、測定装置本体１５の端部に設けた挿入口１６から、測定装置本体１５の内部に挿入された様子が示される。血糖値センサ５は、接続端子部２を挿入方向について前方にして、挿入口１６から挿入される。
【００５９】
図６Ｂに示されるように、測定装置９に挿入された血糖値センサ５は、測定装置本体１５の内部にあるコネクターケース２０に受容される。測定装置９の内部には、コネクターケース２０に受容された血糖値センサ５に接続するためのコネクター１８が配置されている。図６Ｂには、６つのコネクター１８があり；作用極に接続する接続端子７Ａ、対極に接続する接続端子７Ｂ、検知極に接続する接続端子７Ｃに、それぞれ２つのコネクターが接続することができる。このように、各接続端子に２つのコネクターを接続可能にしておけば、接続端子部２における導電膜の各パターン（図１２参照）を、コネクター１８を介して区別することができる。つまり、センサの種別を判別することができる。
【００６０】
挿入口１６から測定装置本体１５に挿入された血糖値センサ５の測定部１に、導入口１Ａを介して血液を導入する。前述の通り、導入路１Ｂは毛細管現象を生じさせるので、導入口１Ａに血液を点着すれば、導入路１Ｂに血液が満たされる。その結果、試薬層１Ｃが血液中に溶解する。
【００６１】
その後、一対の電極（作用極と対極）間に電圧を印加すると、一対の電極間に血糖値に応じた電流が流れる。作用極と対極がそれぞれ、接続部３を介して接続端子部の端子（７Ａと７Ｂ）に電気接続しているので、当該電流は測定装置９の測定手段によって検知され、これにより血糖値が測定される。そして、測定された血糖値は、表示部１７に表示される。
【００６２】
図７は、挿入口１６から測定装置本体１５に挿入されて、コネクターケース２０に受容された血糖値センサ５の接続端子部２を示している。図７に示すように、測定装置本体１５の挿入口１６の内部には、６つのコネクター１８が配置されている。血糖値センサ５を挿入すると、接続端子部２の接続端子７Ａ，７Ｂおよび７Ｃのそれぞれに、２つのコネクター１８が接続する。
【００６３】
また、図７に示すごとく、コネクターケース２０の奥には、スイッチング手段１９が設けられている。スイッチング手段１９は、測定装置本体１５に挿入された血糖値センサ５の接続端子部２に設けた突出部１０によって押し込まれて、オンされる。
【００６４】
スイッチング手段１９のオン／オフによって、血糖値センサ５の種別（品番など）を判定することができる。このように、接続端子部２に設けた突出部１０は、血糖値センサ５の種別を表示する機能をも有しうる。
【００６５】
図８に示すように、突出部１０を有さない血糖値センサ５’を、挿入口１６を介して測定装置本体１５に挿入しても、スイッチング手段１９は突出部１０によって押し込まれない。よって、スイッチング手段１９はオフのままとなる。このようにして、突出部１０を有する血糖値センサ５と、突出部１０を有さない血糖値センサ５’とが、区別される。
【００６６】
コネクターによるセンサの種別の判別について
前述の通り、血液検査装置のコネクター１８によって、センサの種別を判別することができる。前述の通り、血液検査装置には６つのコネクター１８が配置されている。そのため、図１２に示すような、接続端子部１７の導電膜のパターンを全て、６つのコネクター１８を介して区別することができる。
【００６７】
コネクターを介して接続端子部の導電膜のパターンを区別する具体的方法は、特開２００３-１５６４６９号に記載されている。
【００６８】
具体的に説明すると、６つのコネクターはそれぞれ、図１２に示される接続端子部２の位置Ａ〜Ｆに接続する。その結果、図１２−１では、位置Ａに接続したコネクターと位置Ｂに接続したコネクター、位置Ｃに接続したコネクターと位置Ｄに接続したコネクター、位置Ｅに接続したコネクターと位置Ｆに接続したコネクターとは、それぞれ互いに導通する。これに対して、図１２−２では、位置Ａに接続したコネクターと位置Ｂに接続したコネクター、位置Ｅに接続したコネクターと位置Ｆに接続したコネクターとは、それぞれ互いに導通するが；位置Ｃに接続したコネクターと位置Ｄに接続したコネクターとは絶縁されている。
【００６９】
このようにして、図１２に示されるセンサは全て、６個のコネクター１８によって判別されうる。
【００７０】
［実施の形態２］
実施の形態１では、測定装置のスイッチング手段１９が１つである例を示した。実施の形態２では、測定装置のスイッチング手段１９が２つある例を示す。
【００７１】
図９Ａには、測定装置のコネクターケース２０’が示され、コネクターケース２０’には２つのスイッチング手段１９Ａと１９Ｂが配置されている。この測定装置のコネクターケース２０’に、図９Ｂに示される４種類の突出部パターンの血糖値センサ５−１〜５−４を挿入した場合を検討する。血糖値センサ５−１は、接続端子部に１つの突出部１０を有する血糖値センサであり；血糖値センサ５−２および５−３は、接続端子部２に２つの突出部１０を有する血糖値センサであり；血糖値センサ５−４は、接続端子部２に突出部１０を有さない血糖値センサである。
【００７２】
図１０Ａ〜図１０Ｄには、図９Ａのコネクターケース２０’を有する測定装置に、血糖値センサ５−１〜５−４を挿入した状態を示す図である。図１０Ａは、血糖値センサ５−１を挿入した場合を示しており、２つのスイッチング手段１９Ａおよび１９Ｂがいずれも、突出部によって押し込まれてオンされていることがわかる。図１０Ｂは、血糖値センサ５−２を挿入した場合を示しており、２つのスイッチング手段のうちの一方（１９Ｂ）が突出部によって押し込まれてオンされていることがわかる。図１０Ｃは、血糖値センサ５−３を挿入した場合を示しており、２つのスイッチング手段のうちの他方（１９Ａ）が突出部によって押し込まれてオンされていることがわかる。図１０Ｄは、血糖値センサ５−４を挿入した場合を示しており、２つのスイッチング手段１９Ａおよび１９Ｂのいずれもが押し込まずにオフの状態にあることがわかる。
【００７３】
このように、４つの血糖値センサ５−１〜５−４はそれぞれ、測定装置の２つのスイッチによって区別されることがわかる。
【００７４】
このように、測定装置に１つのスイッチング手段を設けた場合は、スイッチング手段を設けない場合と比較して、判別可能なセンサ種別が２倍になり；測定装置に２つのスイッチング手段を設けた場合は、スイッチング手段を設けない場合と比較して、判別可能なセンサ種別が４倍になる。
【産業上の利用可能性】
【００７５】
本発明において、バイオセンサには、その長手方向に端部に突出部を有する。そのため、本発明のバイオセンサ収納体に収容された複数のバイオセンサは、ランダムに収容される。そのため、収納容器に収容された複数枚のバイオセンサを、一枚ずつ容易に取り出すことができ、ユーザーの利便性が高い。【００７６】
さらに、取り出されたバイオセンサは、測定装置に挿入されて用いられる。このとき、突出部は測定装置のスイッチをオンすることができるので、突出部のないバイオセンサと区別される。その結果、誤った測定結果が使用者に提供されることも防止される。
【符号の説明】
【００７７】
１  測定部
１Ａ  導入口
１Ｂ  導入路
１Ｃ  試薬層
２  接続端子部
３  接続部
５，５−１〜５−４，５’  血糖値センサ
７Ａ，７Ｂ，７Ｃ  接続端子
９  測定装置
１０  突出部
１１  切欠部
１２  収納容器
１３  収納容器本体
１４  蓋体
１５  測定装置本体
１６  挿入口
１７  表示部
１８，１８Ａ，１８Ｂ  コネクター
１９，１９Ａ，１９Ｂ  スイッチング手段
２０，２０'  コネクターケース
２１  カバー
２５  スペーサ
３０  基板
５０  作用極
５１  対極
５２  情報付与部
【図１】
2012042904.tif 000003
【図２】
2012042904.tif 000004
【図３】
2012042904.tif 000005
【図４】
2012042904.tif 000006
【図５】
2012042904.tif 000007
【図６】
2012042904.tif 000008
【図７】
2012042904.tif 000009
【図８】
2012042904.tif 000010
【図９】
2012042904.tif 000011
【図１０】
2012042904.tif 000012
【図１１】
2012042904.tif 000013
【図１２】
2012042904.tif 000014
【図１３】
2012042904.tif 000015
【図１４】
2012042904.tif 000016
【図１５】
2012042904.tif 000017
【国際調査報告】
2012042904.tif 000018
2012042904.tif 000019